【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
気道圧呼吸デバイスは、
本体であって、前記本体は、前記本体を通る一対の空気通路を有し、その一対の空気通路は、一対の端部部分で終端し、各端部部分は、少なくとも１つの出口を有する、本体と、
前記本体によって支持されるマイクロポンプであって、前記マイクロポンプは、周囲空気を前記本体内の前記空気通路を通して前記端部部分に圧送するように構成される、マイクロポンプと、
前記本体上に支持される鼻用インターフェースであって、前記鼻用インターフェースは、一対の鼻栓を備え、各鼻栓は、前記鼻用インターフェースを通る空気通路を提供する固定の長さのメサ形状側壁を有し、前記鼻栓は、フレア状継手における第１の端部で終端し、前記本体の前記端部部分のうちの対応するものにおける第２の端部で終端し、前記フレア状継手における前記側壁の直径は、前記側壁の中心部分における直径より実質的に大きい、鼻用インターフェースと
を備える、気道圧呼吸デバイス。
【請求項２】
各メサ形状側壁は、前記側壁上に一体的に提供された前記フレア状継手を有し、各鼻栓の前記フレア状継手は、前記メサ形状側壁の中心部分を超えて延在する外縁を有し、前記フレア状継手は、前記ユーザの鼻孔張出部および隔壁膨隆部の両方とシールを形成するように定寸される、請求項１に記載の気道圧呼吸デバイス。
【請求項３】
前記本体および鼻栓は、それぞれ、一対の範囲内に中心線角および面角を提供し、前記気道圧呼吸デバイスと前記ユーザの鼻との間にシールを提供するように調節可能である、請求項１に記載の気道圧呼吸デバイス。
【請求項４】
前記フレア状継手は、少なくとも１つの開口を有する、請求項１に記載の気道圧呼吸デバイス。
【請求項５】
前記フレア状継手は、前記鼻栓側壁の延在部である、請求項１に記載の気道圧呼吸デバイス。
【請求項６】
前記鼻栓は、その前記第１および第２の端部部分間に、円錐形形状である内部通路を有し、前記フレア状継手における前記鼻栓の前記第１の端部部分は、前記第２の端部部分における開口部より大きい開口部を有する、請求項１に記載の気道圧呼吸デバイス。
【請求項７】
前記鼻栓の材料は、柔軟な応従性軟質硬度材料である、請求項１に記載の気道圧呼吸デバイス。
【請求項８】
前記鼻栓は、鼻栓推定中心線角範囲約１１０〜１５０度、鼻栓推定面角範囲３０〜５０度を有し、前記鼻栓形状は、略長円である、請求項１に記載の気道圧呼吸デバイス。
【請求項９】
前記鼻栓は、長円であり、面積約３０〜９０ｍｍ２に及び得る開口部を有する、請求項１に記載の気道圧呼吸デバイス。
【請求項１０】
前記鼻栓の材料は、ゴム状材料である、請求項１に記載の気道圧呼吸デバイス。
【請求項１１】
ユーザの鼻に取付可能なデバイスであって、前記デバイスは、
本体であって、前記本体は、前記本体を通る一対の空気通路を有し、その一対の空気通路は、一対の端部部分で終端し、各端部部分は、前記端部部分の第１の表面内に少なくとも１つの出口を有する、本体と、
前記本体に取り付けられる鼻用インターフェースであって、前記鼻用インターフェースは、一対の鼻栓を備え、各鼻栓は、固定の長さのメサ形状側壁を有し、前記メサ形状側壁は、前記鼻栓の前記メサ形状側壁に実質的に張り出すフレア状部分内の第１の端部で終端し、かつ前記本体の前記一対の空気通路のうちの対応するものにおける第２の端部で終端し、前記フレア状継手における前記側壁の直径は、前記側壁の中心部分における直径より実質的に大きい、鼻用インターフェースと
を備える、デバイス。
【請求項１２】
各鼻栓の前記フレア状継手は、前記メサ形状側壁の中心部分を超えて延在する外縁を有し、前記ユーザの鼻孔張出部および隔壁膨隆部の両方とシールを形成するように定寸される、請求項１１に記載のデバイス。
【請求項１３】
各メサ形状側壁は、単一連続の湾曲した外部表面を有する、請求項１１に記載のデバイス。
【請求項１４】
前記鼻栓の材料は、柔軟な応従性軟質硬度材料であり、前記インターフェースは、鼻栓推定中心線角範囲約１１０〜１５０度、鼻栓推定面角範囲３０〜５０度を有し、前記鼻栓外部側壁およびフレア状継手は、略メサ形状の形状を有する、請求項１１に記載のデバイス。
【請求項１５】
前記鼻栓は、前記鼻栓を通る開口部を有し、前記開口部は、略長円であり、面積約３０〜９０ｍｍ２の範囲にある、請求項１１に記載のデバイス。
【請求項１６】
デバイスをユーザの鼻に取り付けるための鼻用インターフェースであって、前記インターフェースは、
一対の鼻栓を備え、
各鼻栓は、側壁を有し、前記側壁の内部表面は、内部通路を包囲し、前記側壁の外部表面は、メサ形状を有し、前記側壁は、デバイスを受け入れるための収容部によって、前記側壁に実質的に張り出すフレア状継手の１つの端部で終端され、かつ前記側壁の第２の遠位対向端部で終端され、前記フレア状継手における前記側壁の直径は、前記側壁の中心部分における直径より実質的に大きい、インターフェース。
【請求項１７】
前記鼻栓のそれぞれは、内部の円錐形形状の側壁によって提供される、前記フレア状継手と前記第２の遠位対向端部との間の内部通路を有する、請求項１６に記載のインターフェース。
【請求項１８】
各メサ形状側壁は、前記側壁に前記メサ形状を提供するために、前記第１の端部から前記第２の端部まで単一連続の外部湾曲した表面を有し、前記鼻栓は、前記インターフェースが取り付けられるデバイスと前記ユーザの鼻の鼻孔との間にシールを提供する、請求項１６に記載のインターフェース。
【請求項１９】
前記鼻栓の材料は、柔軟な応従性軟質硬度材料であり、前記インターフェースは、鼻栓中心線角範囲約１１０〜１５０度および鼻栓面角範囲３０〜５０度を有する、請求項１６に記載のインターフェース。
【請求項２０】
各鼻栓の前記フレア状継手は、前記対応する通路の開口部を有し、前記開口部は、長円形状であり、面積３０〜９０ｍｍ２に及ぶ、請求項１６に記載のインターフェース。
【請求項２１】
前記鼻栓の材料は、柔軟な応従性軟質硬度材料であり、前記インターフェースは、鼻栓推定中心線角範囲約１１０〜１５０度、鼻栓推定面角範囲３０〜５０度を有し、前記鼻栓は、略漏斗形状の通路を有する、請求項１６に記載のインターフェース。
【請求項２２】
インターフェースは、デバイスに取り付けられる前記鼻栓のうちの２つを含み、それぞれが、前記通路の開口部を有し、前記開口部は、長円形状であり、表面積約３０〜９０ｍｍ２に及ぶ、請求項１６に記載のインターフェース。
【請求項２３】
前記鼻栓の高度に対応する離隔寸法は、約０．１５〜０．２５インチの範囲にある、請求項１に記載の気道圧呼吸デバイス。
【請求項２４】
前記鼻栓の高度に対応する離隔寸法は、約０．１５〜０．２５インチの範囲にある、請求項１６に記載のインターフェース。
【請求項２５】
前記鼻栓の高度に対応する離隔寸法は、約０．１５〜０．２５インチの範囲にある、請求項１１に記載のデバイス。
【請求項２６】
前記鼻栓のそれぞれを通る前記空気通路は、前記側壁の平滑内部部分によって規定され、前記通路は、そこを通る開口部を有し、前記開口部は、略長円で、面積約３０〜９０ｍｍ２の範囲にあり、前記フレア状継手における前記開口部のうちの第１のものは、前記第２の端部における前記開口部より面積が大きい、請求項１に記載の気道圧呼吸デバイス。
【請求項２７】
前記鼻栓のそれぞれを通る前記空気通路は、前記側壁の平滑内部部分によって規定され、前記通路は、そこを通る開口部を有し、前記開口部は、略長円で、面積約３０〜９０ｍｍ２の範囲にあり、前記フレア状継手における前記開口部のうちの第１のものは、前記第２の端部における前記開口部より面積が大きい、請求項１６に記載のインターフェース。
【請求項２８】
前記鼻栓のそれぞれを通る前記空気通路は、前記側壁の平滑内部部分によって規定され、前記通路は、そこを通る開口部を有し、前記開口部は、略長円で、面積約３０〜９０ｍｍ２の範囲にあり、前記フレア状継手における前記開口部のうちの第１のものは、前記第２の端部における前記開口部より面積が大きい、請求項１１に記載のデバイス。
【手続補正２】
【補正対象書類名】明細書
【補正対象項目名】００１３
【補正方法】変更
【補正の内容】
【００１３】
本発明の１つ以上の実施形態の詳細は、添付の図面および以下の説明に記載される。本発明の他の特徴、目的、および利点は、説明および図面および請求項から明白である。
本願明細書は、例えば、以下の項目も提供する。
（項目１）
気道圧呼吸デバイスは、
本体であって、前記本体は、前記本体を通る一対の空気通路を有し、その一対の空気通路は、一対の端部部分で終端し、各端部部分は、前記端部部分の第１の表面内に少なくとも１つの出口を有する、本体と、
前記本体によって支持されるマイクロポンプであって、前記マイクロポンプは、周囲空気を前記本体内の前記空気通路を通して前記端部部分に圧送するように構成される、マイクロポンプと、
前記本体上に支持される鼻用インターフェースであって、前記鼻用インターフェースは、一対の鼻栓を備え、前記一対の鼻栓は、その端部部分にフレア状継手を有する、鼻用インターフェースと、
を備える、気道圧呼吸デバイス。
（項目２）
前記鼻栓は、鼻栓外部側壁を有し、前記フレア状継手は、前記鼻栓側壁上に一体的に提供され、前記フレア状継手は、前記ユーザが前記鼻栓を前記ユーザの鼻の中に容易に挿入することを可能にするように定寸される、項目１に記載の気道圧呼吸デバイス。
（項目３）
前記本体および鼻栓は、それぞれ、一対の範囲内に中心線角および面角を提供し、前記気道圧呼吸デバイスと前記ユーザの鼻との間にシールを提供するように調節可能である、項目１に記載の気道圧呼吸デバイス。
（項目４）
前記フレア状継手は、前記気道圧呼吸デバイス内の空気経路に接続する、少なくとも１つの開口を有する、項目１に記載の気道圧呼吸デバイス。
（項目５）
前記鼻栓は、外部メサ形状を有する外部側壁を有し、前記フレア状継手は、前記鼻栓側壁の延在部である、項目１に記載の気道圧呼吸デバイス。
（項目６）
前記鼻栓は、外部メサ形状を有する外部側壁を有し、前記フレア状継手は、前記鼻栓側壁の延在部であり、前記フレア状継手は、その端部部分間に、円錐形形状の内部通路を有し、前記フレア状部分における前記端部部分のうちの第１のものは、前記気道圧呼吸デバイスで終端する前記端部部分のうちの第２の遠位のものより大きい開口部を有する、項目１に記載の気道圧呼吸デバイス。
（項目７）
前記鼻栓の材料は、柔軟な応従性軟質硬度材料である、項目１に記載の気道圧呼吸デバイス。
（項目８）
前記鼻栓は、鼻栓推定中心線角範囲約１１０〜１５０度、鼻栓推定面角範囲３０〜５０度を有し、前記鼻栓形状は、略長円である、項目１に記載の気道圧呼吸デバイス。
（項目９）
前記鼻栓は、長円であり、面積約３０〜９０ｍｍ２に及び得る開口部を有する、項目１に記載の気道圧呼吸デバイス。
（項目１０）
前記鼻栓の材料は、ゴム状材料である、項目１に記載の気道圧呼吸デバイス。
（項目１１）
ユーザの鼻に取付可能なデバイスであって、前記デバイスは、
本体であって、前記本体は、前記本体を通る一対の空気通路を有し、その一対の空気通路は、一対の端部部分で終端し、各端部部分は、前記端部部分の第１の表面内に少なくとも１つの出口を有する、本体と、
前記本体に取り付けられる鼻用インターフェースであって、前記鼻用インターフェースは、一対の鼻栓を備え、各鼻栓は、フレア状部分内の第１の端部で終端し、かつ前記本体の前記一対の空気通路のうちの対応するものにおける第２の端部で終端する、外部メサ形状側壁を有する、鼻用インターフェースと
を備える、デバイス。
（項目１２）
各鼻栓側壁および各対応するフレア状継手は、前記鼻栓側壁と一体的に提供され、前記フレア状継手は、前記ユーザが前記鼻栓を前記ユーザの鼻の中に容易に挿入することを可能にするように定寸される、項目１１に記載のインターフェース。
（項目１３）
前記鼻栓は、前記デバイスと前記ユーザの鼻との間にシールを提供する、項目１１に記載のインターフェース。
（項目１４）
前記鼻栓の材料は、柔軟な応従性軟質硬度材料であり、前記インターフェースは、鼻栓推定中心線角範囲約１１０〜１５０度、鼻栓推定面角範囲３０〜５０度を有し、前記鼻栓外部側壁およびフレア状継手は、略メサ形状の形状を有する、項目１１に記載のインターフェース。
（項目１５）
前記鼻栓は、前記鼻栓を通る開口部を有し、前記開口部は、略長円であり、面積約３０〜９０ｍｍ２の範囲である、項目１１に記載のインターフェース。
（項目１６）
デバイスをユーザの鼻に取り付けるための鼻用インターフェースであって、前記インターフェースは、
それぞれが通路を包囲する側壁を有する一対の鼻栓であって、前記側壁の外部形状は、メサ形状であり、前記側壁は、フレア状継手内の一端で終端され、前記鼻栓のそれぞれは、前記側壁の第２の遠位対向端部に、デバイスを受け入れるための収容部を有する、一対の鼻栓、
を備える、インターフェース。
（項目１７）
前記鼻栓のそれぞれは、内部の円錐形形状の側壁によって提供される、前記フレア状継手と前記第２の遠位対向端部との間の内部通路を有する、項目１６に記載のインターフェース。
（項目１８）
前記鼻栓は、前記インターフェースが取り付けられるデバイスと前記ユーザの鼻の鼻孔との間にシールを提供する、項目１６に記載のインターフェース。
（項目１９）
前記鼻栓の材料は、柔軟な応従性軟質硬度材料であり、前記インターフェースは、鼻栓中心線角範囲約１１０〜１５０度および鼻栓面角範囲３０〜５０度を有する、項目１６に記載のインターフェース。
（項目２０）
各鼻栓の前記フレア状継手は、前記対応する通路の開口部を有し、前記開口部は、長円形状であり、面積３０〜９０ｍｍ２に及ぶ、項目１６に記載のインターフェース。
（項目２１）
デバイスをユーザの鼻に取り付けるための鼻用インターフェースであって、前記インターフェースは、
通路を包囲する側壁を有する鼻栓であって、前記側壁の外部形状は、略メサ形状であり、前記側壁は、フレア状継手内の一端で終端される、鼻栓
を備える、インターフェース。
（項目２２）
前記鼻栓は、前記側壁の第２の遠位対向端部に、デバイスを受け入れるための収容部を有する、項目２１に記載のインターフェース。
（項目２３）
前記鼻栓の材料は、柔軟な応従性軟質硬度材料であり、前記インターフェースは、鼻栓推定中心線角範囲約１１０〜１５０度、鼻栓推定面角範囲３０〜５０度を有し、前記鼻栓は、略漏斗形状の通路を有する、項目１５に記載のインターフェース。
（項目２４）
インターフェースは、デバイスに取り付けられる前記鼻栓のうちの２つを含み、それぞれ、前記通路の開口部を有し、前記開口部は、長円形状であり、表面積約３０〜９０ｍｍ２に及ぶ、項目１５に記載のインターフェース。